(57)【要約】【課題】      釣糸が螺旋状に引き出されたり、バックラッシュが掛かって引き出されることのない糸巻きケ−スを提供することである。【解決手段】  糸巻きケ−スは本体１と蓋体２と前蓋３と本体１内の前後に複数枚の仕切り体４とを有し、縦方向の複数枚の仕切り体４の間に糸巻き５が収納され、本体１内の仕切り体４の間の底部に設けた糸巻き受け６で糸巻き５が支えられている。  本体１の外側の後側両側に縦方向の溝からなる係合部１ａが設けられている。  蓋体２の外側の後側両側に保持部２ａが形成されて保持部２ａの下側に内向きの突部２ｂが形成されて内向きの突部２ｂは本体１の縦方向の溝からなる係合部１ａに挿入されて係合されている。【選択図】        図７
2008005806.tif 000002
【特許請求の範囲】
【請求項１】
糸巻きケ−スは本体と蓋体を有し、本体の後側両側に縦方向の係合部を設け、蓋体の後側両側に内向きの突部を設けて前記係合部に係合したことを特徴とする糸巻きケ−ス。
【発明の詳細な説明】
【技術分野】
【０００１】
本発明は、釣場の地面等の平面上に載置出来る糸巻きケ−スに関する。
【背景技術】
【０００２】
従来釣場に携行する糸巻きケ−スは特許文献１のように、平たい蓋付きケ−スの中に糸巻きが収納されている。
この糸巻きから釣糸を引き出してリ−ルに巻回する時、横置き状態で引き出すと糸巻き方向と糸引き出し方向が異なるので糸巻きが回り難く、釣糸が螺旋状に引き出されて不都合である。
このような糸巻きケ−スは片手に持って糸を引き出すことができるが、置いた状態で糸を引き出すには不具合がある。
【特許文献１】実開平１−７４７７５号公報
【発明の開示】
【発明が解決しようとする課題】
【０００３】
解決しようとする問題点は、横置き状態で引き出すと糸巻き方向と糸引き出し方向が異なるので糸巻きが回り難く、また糸巻きケ−スを置いた状態で安定して糸を引き出せないことである。
【０００４】
本発明の目的は前記欠点に鑑み、釣糸が螺旋状に引き出されたり、バックラッシュが掛かって引き出されることのない糸巻きケ−スを提供することである。
【課題を解決するための手段】
【０００５】
本発明の請求項１は、糸巻きケ−スは本体と蓋体を有し、本体の後側両側に縦方向の係合部を設け、蓋体の後側両側に内向きの突部を設けて前記係合部に係合したことを要旨とするものである。
【発明の効果】
【０００６】
本発明により、本体の後側両側に縦方向の係合部を設け、蓋体の後側両側に内向きの突部を設けて縦方向の係合部で蓋体を下方に移動出来るので、本体の開口を大きくすることができ、重心が下がって本体が安定するため糸が引き出しやすくなる。
【発明を実施するための最良の形態】
【０００７】
糸巻きケ−スは本体１と蓋体２と前蓋３と本体１内の前後に複数枚の仕切り体４とを有し、縦方向の複数枚の仕切り体４の間に糸巻き５が収納され、本体１内の仕切り体４の間の底部に設けた糸巻き受け６で糸巻き５が支えられている。
複数枚の仕切り体４は本体１の壁部と底部に形成された長孔に保持部が嵌め込まれている。
本体１は直方形で、本体１の外側の後側両側に縦方向の溝からなる係合部１ａが設けられている。
蓋体２は側面半球形で、蓋体２の外側の後側両側に保持部２ａが形成されて保持部２ａの下側に内向きの突部２ｂが形成されている。
内向きの突部２ｂは本体１の縦方向の溝からなる係合部１ａに挿入されて係合されている。
【実施例１】
【０００８】
以下、図示の一実施例によって本発明を説明すると、図１は前蓋が開かれた糸巻きケ−スの斜視図、図２は糸巻きケ−スの側面図、図３（ａ）は糸巻きケ−スの正面図で（ｂ）は糸巻きケ−スの背面図、図４は糸巻きケ−スの断面側面図、図５は糸巻きケ−スの断面背面図、図６（ａ）は糸巻きケ−スの側面図で（ｂ）は前蓋を開けて蓋体を幾分持ち上げた側面図で（ｃ）は蓋体を角度４５度開いた側面図、図７（ａ）は蓋体を角度９０度開いた側面図で（ｂ）は開いた蓋体を下方にスライドした側面図である。
【０００９】
糸巻きケ−スは本体１と蓋体２と前蓋３と本体１内の前後に複数枚の仕切り体４とを有し、縦方向の複数枚の仕切り体４の間に糸巻き５が収納され、本体１内の仕切り体４の間の底部に設けた糸巻き受け６で糸巻き５が支えられている。
複数枚の仕切り体４は本体１の壁部と底部に形成された長孔に保持部が嵌め込まれている。
本体１は直方形で、本体１の外側の後側両側に縦方向の溝からなる係合部１ａが設けられている。
蓋体２は側面半円形で、蓋体２の外側の後側両側に保持部２ａが形成されて保持部２ａの下側に内向きの突部２ｂが形成されている。
内向きの突部２ｂは本体１の縦方向の溝からなる係合部１ａに挿入されて係合されている。
本体１の開口縁の外側の前側両側に図示しない係合部が形成されている。
蓋体２の開口縁の外側の前側両側に舌片２ｃが形成されて舌片２ｃの下側に内向きの突部が形成されて本体１の図示しない係合部と蓋体２を閉じた時に係合される。
蓋体２の前面には糸引出し用の開口２ｄが形成されて糸引出し用の開口２ｄの上側に前蓋３を係止する係止部２ｅが形成されている。
蓋体２に仕切り体を設けてもよい。
【００１０】
前蓋３は本体１の前面に取り付けられる保持部３ａとヒンジ部を介して前蓋部３ｂが形成されている。
糸巻き受け６は基部６ａと、基部６ａの前後に延びた弾性を有する受け部６ｂと、受け部６ｂの両側に設けたガ−ド部６ｃと、基部６ａの下側に延びた保持部６ｄで形成されている。
保持部６ｄは本体１内の底部に形成された長孔に嵌め込まれている。
弾性を有する受け部６ｂは糸の引出し動作で糸巻き５の上下の動きを支えるように構成している。
【００１１】
糸巻きケ−スの本体１内に糸巻き５が収納される時や取り出される時は、図６（ｂ）のように前蓋３が外されて蓋体２がα持ち上げられ、図６（ｃ）、図７（ａ）のように蓋体２が回動されて開かれる。
その後図７（ｂ）のように縦方向の溝からなる係合部１ａ内を蓋体２の内向きの突部２ｂが下方に下げられる。
糸巻き５から図示しない釣糸が引き出される時は、図１のように前蓋３が開かれたり、図７（ａ）や（ｂ）の状態で引き出される。
【００１２】
糸巻きケ−スは本体１と蓋体２を有し、本体１の左右両側面の後側に縦方向の溝状の係合部１ａが設け、蓋体２の後側両側に内向きの突部２ｂを設けてこの突部２ｂを係合部１ａに、突部２ｂが係合部１ａ内で回動し、かつ、縦方向の溝状の係合部１ａに沿って上下に移動可能に係合している。
したがって、蓋体２が閉まった状態から突部２ｂを中心にして回動すると本体１に対し蓋体２を開くことが出来、さらに、突部２ｂを係合部１ａに沿って移動させ開いた状態で蓋体２を下方に移動させる。
【００１３】
この状態で蓋体２が本体１の後側に移動した状態となるため、本体１を開いた状態に比べ重心が下がるため載置した状態の本体１が安定する。
この状態で本体１の前方側から糸を引き出すと、これと対向側に本体１の後方側に蓋体２が位置するため糸の引き出し力が加わっても本体１が前方側に動いてしまったり、倒れてしまうことが防止され、安定して糸を引き出すことが出来る。
また、本体１の後方側下方に蓋体２が位置する状態で蓋体２が接地するため、より本体１が前方側に動いてしまうことが防止される。
【００１４】
前記のように糸巻きケ−スが構成されると、本体の後側両側に縦方向の係合部を設け、蓋体の後側両側に内向きの突部を設けて縦方向の係合部で蓋体を下方に移動出来るので、本体の開口を大きくすることができ、重心が下がって本体が安定するため糸が引き出しやすくなる。
【産業上の利用可能性】
【００１５】
前記説明では、糸巻きケ−スの全般に利用できる。
【図面の簡単な説明】
【００１６】
【図１】前蓋が開かれた糸巻きケ−スの斜視図である。
【図２】糸巻きケ−スの側面図である。
【図３】（ａ）は糸巻きケ−スの正面図で（ｂ）は糸巻きケ−スの背面図である。
【図４】糸巻きケ−スの断面側面図である。
【図５】糸巻きケ−スの断面背面図である。
【図６】（ａ）は糸巻きケ−スの側面図で（ｂ）は前蓋を開けて蓋体を幾分持ち上げた側面図で（ｃ）は蓋体を角度４５度開いた側面図である。
【図７】（ａ）は蓋体を角度９０度開いた側面図で（ｂ）は開いた蓋体を下方にスライドした側面図である。
【符号の説明】
【００１７】
１  本体
１ａ  縦方向の溝からなる係合部
２  蓋体
２ｂ  内向きの突部
５  糸巻き
【図１】
2008005806.tif 000003
【図２】
2008005806.tif 000004
【図３】
2008005806.tif 000005
【図４】
2008005806.tif 000006
【図５】
2008005806.tif 000007
【図６】
2008005806.tif 000008
【図７】
2008005806.tif 000009